(57)【要約】      （修正有）【課題】広告紙、案内紙等の表示紙を建物の壁、窓ガラス等の貼付面に簡単に貼り付けることができ、簡単かつ迅速に表示紙の差替えができるシート状ケースを提供する。【解決手段】シート状ケース１は、広告紙等の表示紙５を挟持し、貼付面に貼り付けて用いるものである。シート状ケース１は、第１シート２と、第１シート２の表側面に対面させて扉状に開閉可能に接合した第２シート３とからなる。第２シート３は、第２シート３と第１シート２とを接合した一端部１０１を支点にして開閉可能であると共に、一端部１０１とは反対側の他端部１０２に、第１シート２の他端部１０２よりも突出した突出端部３１を有している。第１シート２の裏側面には、貼付面に貼着するための第１粘着剤４１が設けてある。第２シート３の突出端部３１の裏側面には、貼付面に貼着・剥離を繰り返すことができる第２粘着剤４２が設ける。【選択図】図１
0003148403.tif 000002
【実用新案登録請求の範囲】
【請求項１】
広告紙、案内紙等の表示紙を挟持し、建物の壁、窓ガラス等の貼付面に貼り付けて用いるシート状ケースであって、
樹脂からなる第１シートと、透明又は半透明の樹脂からなると共に上記第１シートの表側面に対面させて扉状に開閉可能に接合した第２シートとからなり、
該第２シートは、該第２シートと上記第１シートとを接合した一端部を支点にして開閉可能であると共に、該一端部とは反対側の他端部に、上記第１シートの他端部よりも突出した突出端部を有しており、
上記第１シートの裏側面には、上記貼付面に対して貼着するための第１粘着剤が設けてあり、
上記第２シートの上記突出端部の裏側面には、上記貼付面に対して貼着・剥離を繰り返すことができる第２粘着剤が設けてあることを特徴とするシート状ケース。
【請求項２】
請求項１において、上記第１シートは、透明又は半透明の樹脂からなることを特徴とするシート状ケース。
【請求項３】
請求項１又は２において、上記第１粘着剤は、上記第１シートにおける上記一端部の裏側面に設けてあり、
上記第１粘着剤及び上記第２粘着剤は、基材層の両面に粘着層を有する両面粘着テープを用いて構成してあり、
上記第１粘着剤を構成する上記両面粘着テープは、その一方側面における上記粘着層が上記第１シートに貼着してあり、その他方側面における上記粘着層が剥離可能な保護シールによって覆ってあり、
上記第２粘着剤を構成する上記両面粘着テープは、その一方側面における上記粘着層が上記第２シートに貼着してあり、その他方側面における上記粘着層が剥離可能な保護シールによって覆ってあることを特徴とするシート状ケース。
【考案の詳細な説明】
【技術分野】
【０００１】
本考案は、広告紙等の表示紙を挟持し、建物の壁、窓ガラス等の貼付面に貼り付けて用いるシート状ケースに関する。
【背景技術】
【０００２】
スーパー、デパート、ホームセンター等の店内、電車、バス等の乗物、ホテル、旅館、電車の駅等の建物などにおいては、宣伝・広告のための広告紙又は各種の案内を行うための案内紙等の表示紙（貼付物）が、壁、ガラス面、ボード等の貼付面に多く貼り付けられている。
従来これらの表示紙を貼り付ける方法としては、片面に粘着面を有するか、もしくは両面に粘着面を有する粘着テープ等を用いて貼り付けている。
表示紙を建物の壁、窓ガラス等の貼付面に貼り付ける際に、１方又は２方が開いたクリアシートケースの中に表示紙を差し込み、このクリアシートケースを両面テープ等によって貼付面に貼り付けることが考えられる。しかし、この方法によると、表示紙を他のものに差し替えようとしたときには、クリアシートケース内から表示紙を抜き出し難いといった問題がある。
【０００３】
また、例えば、特許文献１においては、透明な表面体と裏面体とを一体に構成し、表面体に対して裏面体を開閉可能にしたパンフレット類収納ホルダーが開示されている。この収納ホルダーは、表面体と裏面体との間に被収納パンフレット等を保持し、陳列スタンド等に収納するよう構成されている。また、例えば、特許文献２においては、カード素材に等しい大きさの透明又は半透明の密着用シートを一辺に沿って貼り付けたラミネートカードが開示されている。
しかしながら、特許文献１、２においても、表示紙を簡単かつ迅速に繰り返し差替え可能にするケースについての技術は何ら開示されていない。
【０００４】
【特許文献１】特開２００５−５８６８０号公報
【特許文献２】特開昭４９−１１４４００号公報
【考案の開示】
【考案が解決しようとする課題】
【０００５】
本考案は、かかる従来の問題点に鑑みてなされたもので、広告紙、案内紙等の表示紙を建物の壁、窓ガラス等の貼付面に簡単に貼り付けることができ、簡単かつ迅速に表示紙の差替えを行うことができるシート状ケースを提供しようとするものである。
【課題を解決するための手段】
【０００６】
本考案は、広告紙、案内紙等の表示紙を挟持し、建物の壁、窓ガラス等の貼付面に貼り付けて用いるシート状ケースであって、
樹脂からなる第１シートと、透明又は半透明の樹脂からなると共に上記第１シートの表側面に対面させて扉状に開閉可能に接合した第２シートとからなり、
該第２シートは、該第２シートと上記第１シートとを接合した一端部を支点にして開閉可能であると共に、該一端部とは反対側の他端部に、上記第１シートの他端部よりも突出した突出端部を有しており、
上記第１シートの裏側面には、上記貼付面に対して貼着するための第１粘着剤が設けてあり、
上記第２シートの上記突出端部の裏側面には、上記貼付面に対して貼着・剥離を繰り返すことができる第２粘着剤が設けてあることを特徴とするシート状ケースにある（請求項１）。
【０００７】
本考案のシート状ケースは、第１シートに対して第２シートを扉状に開閉可能にし、これらの間に宣伝・広告のための広告紙、各種の案内を行うための案内紙等の表示紙を挟み込むことができる。そして、建物の壁、窓ガラス等の貼付面に表示紙による種々の表示を行う際には、第１シートを、その裏側面に設けた第１粘着剤によって貼付面に貼着し、第１シートと第２シートとの間に表示紙を挟み込んで、第２シートを、その突出端部における裏側面に設けた第２貼着剤によって貼付面に貼着する。なお、第１シートと第２シートとの間に表示紙を挟み込んだ状態で、第１シート及び第２シートを第１粘着剤及び第２粘着剤によって貼付面に貼着することもできる。
【０００８】
その後、表示紙を他の表示紙に差し替える際には、第２シートの突出端部を貼付面から剥離し、第１シートが貼付面に貼着した状態（シート状ケースが貼付面に貼り付いた状態）で、表示紙を差し替えることができる。この際、第２シートを第１シートに対して開けたときには、表示紙を簡単に抜き出すことができる。また、他の表示紙を第１シートと第２シートとの間に配置して、再び第２シートの突出端部を貼付面に貼着することによって、簡単かつ迅速に表示紙の差替えを行うことができる。
【０００９】
それ故、本考案のシート状ケースによれば、広告紙、案内紙等の表示紙を建物の壁、窓ガラス等の貼付面に簡単に貼り付けることができ、簡単かつ迅速に表示紙の差替えを行うことができる。
【考案を実施するための最良の形態】
【００１０】
上述した本考案のシート状ケースにおける好ましい実施の形態につき説明する。
本考案において、上記第１シート及び上記第２シートは、柔軟性（可撓性）のある樹脂から構成することができる。第１シート及び第２シートは、ポリエチレン樹脂、ポリプロピレン樹脂、ポリエチレンテレフタレート樹脂、オレフィン樹脂、塩化ビニル樹脂等から構成することができる。第１シート及び第２シートは、特に、透明又は半透明のポリエチレン樹脂あるいはポリプロピレン樹脂から構成することが好ましい。
【００１１】
また、上記第１シートは、透明又は半透明の樹脂からなることが好ましい（請求項２）。
この場合には、特に、表示紙を挟持するシート状ケースを窓ガラスにおける貼付面に貼着するときに、窓ガラスを介して、第１シートの裏側面から表示紙の表示を視認することができる。そのため、第２シートの表側面及び第１シートの裏側面のいずれからでも表示紙の表示を視認することができるシート状ケースを形成することができる。
【００１２】
また、上記第１粘着剤は、上記第１シートにおける上記一端部の裏側面に設けてあり、上記第１粘着剤及び上記第２粘着剤は、基材層の両面に粘着層を有する両面粘着テープを用いて構成してあり、上記第１粘着剤を構成する上記両面粘着テープは、その一方側面における上記粘着層が上記第１シートに貼着してあり、その他方側面における上記粘着層が剥離可能な保護シールによって覆ってあり、上記第２粘着剤を構成する上記両面粘着テープは、その一方側面における上記粘着層が上記第２シートに貼着してあり、その他方側面における上記粘着層が剥離可能な保護シールによって覆ってあることが好ましい（請求項３）。
【００１３】
この場合には、シート状ケースは、第１シートにおける第１粘着剤及び第２シートにおける第２粘着剤にそれぞれ保護シールを粘着した状態で保管することができる。また、表示紙を挟み込んだシート状ケースを、建物の壁、窓ガラス等の貼付面に貼着するときには、保護シールを剥がして、第１シートの一端部と第２シートの他端部における突出端部とを貼付面に貼着することができる。
なお、第１粘着剤及び第２粘着剤は、両面粘着テープ以外にも、塗布粘着剤から構成することもできる。
【実施例】
【００１４】
以下に、本考案のシート状ケースにかかる実施例につき、図面を参照して説明する。
本例のシート状ケース１は、図１〜図３に示すごとく、広告紙、案内紙等の表示紙５を挟持し、建物の壁、窓ガラス等の貼付面６に貼り付けて用いるものである。シート状ケース１は、樹脂からなる第１シート２と、透明又は半透明の樹脂からなると共に第１シート２の表側面２０１に対面させて扉状に開閉可能に接合した第２シート３とからなる。第２シート３は、第２シート３と第１シート２とを接合した一端部１０１を支点にして開閉可能であると共に、一端部１０１とは反対側の他端部１０２に、第１シート２の他端部１０２よりも突出した突出端部３１を有している。
図４に示すごとく、第１シート２の裏側面２０２には、貼付面６に対して貼着・剥離を繰り返すことができる再剥離性の第１粘着剤４１が設けてある。図５に示すごとく、第２シート３の突出端部３１の裏側面３０２には、貼付面６に対して貼着・剥離を繰り返すことができる再剥離性の第２粘着剤４２が設けてある。
【００１５】
以下に、本例のシート状ケース１につき、図１〜図５を参照して詳説する。
図１、図２に示すごとく、本例のシート状ケース１は、第１シート２及び第２シート３を、柔軟性（可撓性）のある透明又は半透明のポリプロピレン樹脂から構成してある。第１シート２と第２シート３とは、それらの一端部１０１において圧着することによって、第１シート２の表側面２０１と第２シート３の裏側面３０２とが溶融接合されている。第１シート２と第２シート３との接合部分を符号１１で示す。
本例のシート状ケース１は、建物の壁面としての貼付面６又は窓ガラスの表面としての貼付面６のいずれに対しても貼着して、広告紙による宣伝・広告、案内紙による各種の案内等を行うことができるものである。
【００１６】
シート状ケース１を窓ガラスの貼付面６に貼着する場合には、広告紙、案内紙等の表示紙５は、第２シート３の表側面３０１に向けて表示をすることができ、第１シート２の裏側面２０２に向けて表示をすることもできる。特に、第１シート２の裏側面２０２に表示をするときには、表示を見る者は、窓ガラスを介して、第１シート２の裏側面２０２から表示紙５の表示を視認することができる。
第１シート２及び第２シート３は、長方形状を有しており、例えば、ＪＩＳ規格におけるＡ３、Ａ４、Ａ５、Ｂ３、Ｂ４、Ｂ５等のサイズに合わせた大きさに形成することができる。また、第１シート２及び第２シート３の一端部１０１の両角部と、第２シート３の他端部１０２の両角部とは、アール形状（丸み形状）に形成してある。
なお、第１シート２及び第２シート３は、必ずしも全体が透明又は半透明である必要はなく、例えば、４辺に着色を行って縁取りをすることもできる。
【００１７】
図１に示すごとく、シート状ケース１は、第１シート２と第２シート３との接合を行った一端部１０１を、上側又は下側にして貼付面６に貼着することができる。シート状ケース１は、通常は、第１シート２と第２シート３との接合を行った一端部１０１を、上側にして貼付面６に貼着し、第２シート３の突出端部３１によって、第１シート２と第２シート３との間に挟み込んだ表示紙５の落下防止を行うことができる。
【００１８】
また、図３に示すごとく、本例の第１シート２における第１粘着剤４１は、第１シート２における一端部１０１の裏側面２０２に設けてある。そして、第１シート２の一端部１０１の裏側面２０２と、第２シート３の他端部１０２における突出端部３１の裏側面３０２とによって、シート状ケース１を貼付面６に貼着することができる。
【００１９】
また、本例の第１粘着剤４１及び第２粘着剤４２は、基材層４３１の両面に粘着層４３２を有する両面粘着テープ４３を用いて構成してある。そして、貼付面６に貼着する前のシート状ケース１においては、第１粘着剤４１を構成する両面粘着テープ４３は、その一方側面における粘着層４３２が第１シート２の一端部１０１における裏側面２０２に貼着してあり、その他方側面における粘着層４３２が剥離可能な保護シール４３３によって覆われている。また、第２粘着剤４２を構成する両面粘着テープ４３は、その一方側面における粘着層４３２が第２シート３の他端部１０２の突出端部３１における裏側面３０２に貼着してあり、その他方側面における粘着層４３２が剥離可能な保護シール４３３によって覆われている。
【００２０】
そして、図３に示すごとく、第１シート２における第１粘着剤４１及び第２シート３における第２粘着剤４２にそれぞれ保護シール４３３を粘着した状態で、シート状ケース１を保管することができる。また、図４、図５に示すごとく、表示紙５を挟み込んだシート状ケース１を、建物の壁、窓ガラス等の貼付面６に貼着するときには、保護シール４３３を剥がして、第１シート２の一端部１０１と第２シート３の他端部１０２における突出端部３１とを貼付面６に貼着することができる。
【００２１】
本例のシート状ケース１は、第１シート２に対して第２シート３を扉状に開閉可能にし、これらの間に宣伝・広告のための広告紙、各種の案内を行うための案内紙等の表示紙５を挟み込むことができる。そして、建物の壁、窓ガラス等の貼付面６に表示紙５による種々の表示を行う際には、第１シート２を、その裏側面２０２に設けた第１粘着剤４１によって貼付面６に貼着し、第１シート２と第２シート３との間に表示紙５を挟み込んで、第２シート３を、その突出端部３１における裏側面３０２に設けた第２粘着剤４２によって貼付面６に貼着する。なお、第１シート２と第２シート３との間に表示紙５を挟み込んだ状態で、第１シート２及び第２シート３を第１粘着剤４１及び第２粘着剤４２によって貼付面６に貼着することもできる。
【００２２】
その後、表示紙５を他の表示紙５に差し替える際には、第２シート３の突出端部３１を貼付面６から剥離し、第１シート２が貼付面６に貼着した状態（シート状ケース１が貼付面６に貼り付いた状態）で、表示紙５を差し替えることができる。この際、第２シート３を第１シート２に対して開けたときには、表示紙５を簡単に抜き出すことができる。また、他の表示紙５を第１シート２と第２シート３との間に挟持して、再び第２シート３の突出端部３１を貼付面６に貼着することによって、簡単かつ迅速に表示紙５の差替えを行うことができる。
【００２３】
それ故、本例のシート状ケース１によれば、広告紙、案内紙等の表示紙５を建物の壁、窓ガラス等の貼付面６に簡単に貼り付けることができ、簡単かつ迅速に表示紙５の差替えを行うことができる。
【図面の簡単な説明】
【００２４】
【図１】実施例における、シート状ケースを示す斜視図。
【図２】実施例における、第１シートに対して第２シートを若干開けた状態のシート状ケースを示す斜視図。
【図３】実施例における、シート状ケースを模式的に示す断面説明図。
【図４】実施例における、貼付面に貼着したシート状ケースの一端側部分を拡大して模式的に示す断面説明図。
【図５】実施例における、貼付面に貼着したシート状ケースの他端側部分を拡大して模式的に示す断面説明図。
【符号の説明】
【００２５】
１  シート状ケース
１０１  一端部
１０２  他端部
２  第１シート
３  第２シート
３１  突出端部
４１  第１粘着剤
４２  第２粘着剤
４３  両面粘着テープ
５  表示紙
６  貼付面
【図１】
0003148403.tif 000003
【図２】
0003148403.tif 000004
【図３】
0003148403.tif 000005
【図４】
0003148403.tif 000006
【図５】
0003148403.tif 000007